(57)【要約】【課題】  リード線ホルダがホルダ取付部から抜け落ちるのを確実に防止できる回転電機用ステータを提供する。【解決手段】  リード線ホルダ２１の６本のリード線２７が延びる方向とは逆の方向の先端部２１ａを、挿入口２９ａから凹面４５ｃに向かって挿入する。先端部が凹面４５ｃに入った後に、先端部を凹面４５ｃから脱出してフック４３の対向面４３ａとホルダ収納部底面３７ｂとの間に入れる。これにより、リード線ホルダ２１の先端部２１ａとは反対側に位置する後端部２１ｂの裏面が仕切り壁部３９の端面の一部分４５ｂと接触し、後端部２１ｂの端面が突出部４７と対向し、６本のリード線２７の一部分がそれぞれ６個のリード線収納部３１に収納する。【選択図】  図９
2008067445.tif 000002
【特許請求の範囲】
【請求項１】
複数の磁極部を有する固定子コアと、
前記固定子コアの複数の磁極部に巻装される１相以上の巻線と、
前記固定子コアと前記1以上の巻線との間を電気的に絶縁するために前記固定子コアに装着される絶縁樹脂製のスロットインシュレータと、
前記１相以上の巻線の複数の引き出し線がそれぞれ接続される外部接続用のＮ本（Ｎは２以上の整数）のリード線を保持して前記スロットインシュレータに対して固定されるリード線保持構造部とを具備する回転電機用ステータであって、
前記リード線保持構造部が、前記Ｎ本のリード線の芯線の一端を露出させた状態で且つ前記Ｎ本のリード線の前記芯線を所定の間隔をあけて並べた状態で保持し表面と裏面とを備えた板状のリード線ホルダと、前記リード線ホルダが取り付けられて前記リード線ホルダを前記スロットインシュレータに対して保持させるホルダ取付部とからなり、
前記リード線ホルダには、前記表面及び裏面の両方に開口し且つ前記Ｎ本のリード線の前記芯線が挿入されるＮ個の貫通孔が、前記Ｎ本のリード線が並ぶ方向に前記所定の間隔をあけて形成されており、
前記Ｎ本のリード線の前記芯線が前記リード線ホルダの前記Ｎ個の貫通孔に前記裏面側から挿入されて前記表面側に突出するように挿入されており、且つ前記Ｎ本のリード線が前記裏面に沿って同じ方向に延びており、
前記ホルダ取付部は、
前記リード線ホルダの前記裏面を部分的に支持する支持面と、
前記リード線ホルダの前記表面の周縁部と部分的に対向する対向面と、
前記対向面の下方向に前記支持面が位置するように上下方向を定義したときに、前記支持面が含まれる仮想平面よりも下方向の位置に設けられて、前記リード線ホルダの前記裏面に沿って間隔をあけて並ぶ前記Ｎ本のリード線の一部分をそれぞれ収納するＮ個のリード線収納部と、
隣接する２つの前記リード線収納部の間に位置して前記２つのリード線収納部を仕切るように前記上下方向に延びるＮ−１個の仕切り壁部とを備え、
前記Ｎ個のリード線収納部は、前記Ｎ−１個の仕切り壁部が並ぶ方向及び前記上下方向とそれぞれ直交する直交方向の一方の方向に開口して、前記リード線が前記リード線収納部の外部に延び出ることを許容するリード線出口を備え、
前記Ｎ−１個の仕切り壁部は、上方向に位置する端面の一部分が前記支持面の一部を構成する仕切り壁部本体と、前記仕切り壁部本体における前記一方の方向の端部から前記上方向に延びた突出部とをそれぞれ備えており、
前記Ｎ−１個の仕切り壁部の前記端面の一部分は、前記突出部と隣接する位置にあり、
前記Ｎ−１個の仕切り壁部の前記端面には、前記端面の一部分に連続して下方向に向かって凸となる同じ形状の凹面がそれぞれ形成されており、
前記支持面の残部が、前記凹面と連続し且つ前記一方の方向とは反対側の他方の方向に延びており、
前記突出部の近傍には、前記リード線ホルダの前記Ｎ本のリード線が延びる方向とは逆の方向の先端部を、前記凹面に向かって挿入する挿入口が形成されており、
前記リード線保持構造部は、前記先端部を、前記挿入口から前記凹面に向かって挿入し、前記先端部が前記凹面に入った後、前記先端部が前記凹面から脱出して前記リード線ホルダが前記対向面と前記支持面との間に入り、前記Ｎ本のリード線の一部分がそれぞれ前記Ｎ個のリード線収納部に収納されるように構成されていることを特徴とする回転電機用ステータ。
【請求項２】
前記対向面は、一部が前記支持面の残部と対向し、残部が前記支持面の残部よりも前記支持面の一部が位置する側にあって前記支持面の一部とは対向しないように設けられており、
前記凹面の形状と、前記突出部の形状と、前記対向面の前記一部及び残部の位置、及び前記リード線収納部の形状は、前記リード線ホルダの前記先端部を、前記挿入口から前記凹面に向かって挿入し、前記先端部が前記凹面に入った後、前記対向面の一部と前記支持面の残部との間に入り、前記リード線ホルダの前記先端部とは反対側に位置する後端部の裏面が前記支持面の一部と接触し、前記後端部の端面が前記突出部と対向し、前記Ｎ本のリード線の一部分がそれぞれ前記Ｎ個のリード線収納部に収納されるように定められていることを特徴とする請求項１に記載の回転電機用ステータ。
【請求項３】
前記ホルダ取付部は、前記Ｎ個のリード線収納部と前記Ｎ−１個の仕切り壁部とが交互に並ぶ方向の両端に、前記対向面よりも前記上方向に延びる一対の対向壁部を有しており、
前記一対の対向壁部には、互いに向かい合う方向に突出する一対のフックがそれぞれ一体に設けられており、
前記一対のフックは、前記直交方向に離れて配置されており、前記一対のフックの前記下方向に向かう面によって、前記対向面が構成されており、
前記一対のフックのうち前記一方の方向に位置する前記フックの下方向及び前記一方の方向に位置する角部にはフック部テーパが形成されており、
前記Ｎ−１個の仕切り壁部の前記突出部の上方向及び前記他方の方向に位置する角部には仕切り壁部テーパが形成されており、
前記フック部テーパと前記仕切り壁部テーパとの間の空隙により、前記挿入口が形成されている請求項２に記載の回転電機用ステータ。
【請求項４】
前記リード線保持構造部は、前記ホルダ取付部に係止されて前記リード線ホルダの前記ホルダ取付部からの抜け止めを図るカバー部材によって覆われている請求項１に記載の回転電機。
【請求項５】
前記リード線ホルダは、回路パターンが形成された回路基板からなり、
前記リード線ホルダの表面の前記回路パターンの所定位置には、前記巻線から延びる導線が半田付けされている請求項１に記載の回転電機。
【発明の詳細な説明】
【技術分野】
【０００１】
本発明は、回転電機用ステータに関するものである。
【背景技術】
【０００２】
固定子コアと、巻線と、固定子コアに装着される絶縁樹脂製のスロットインシュレータと、巻線の複数の引き出し線がそれぞれ接続される外部接続用の複数本のリード線を保持してスロットインシュレータに対して固定されるリード線保持構造部とを具備する回転電機用ステータが知られている。そして、リード線保持構造部は、複数本のリード線を保持する板状のリード線ホルダと、リード線ホルダをスロットインシュレータに対して保持させるホルダ取付部とから構成されている。従来のホルダ取付部は、リード線ホルダが収納されるホルダ収納部と、ホルダ収納部の開口部近傍に形成されて開口部内に突出する複数のフックとを有している。そして、リード線ホルダで複数のフックを撓ませてホルダ収納部の開口部を押し広げて、板状のリード線ホルダをホルダ収納部に収納していた。これにより、板状のリード線ホルダをホルダ収納部に収納した後は、複数のフックによって、リード線ホルダがホルダ取付部から抜けるのが防止される。
【発明の開示】
【発明が解決しようとする課題】
【０００３】
しかしながら、このような従来のリード線保持構造部では、スロットインシュレータの材質や、リード線ホルダのホルダ取付部への取付方によっては、リード線ホルダで複数のフックを撓ませた際に、複数のフックがつぶれてしまい、リード線ホルダがホルダ取付部から抜け落ちることがあった。
【０００４】
本発明の目的は、リード線ホルダがホルダ取付部から抜け落ちるのを確実に防止できる回転電機用ステータを提供することにある。
【課題を解決するための手段】
【０００５】
本願発明が改良の対象とする回転電機用ステータは、複数の磁極部を有する固定子コアと、固定子コアの複数の磁極部に巻装される１相以上の巻線と、固定子コアと1以上の巻線との間を電気的に絶縁するために固定子コアに装着される絶縁樹脂製のスロットインシュレータと、１相以上の巻線の複数の引き出し線がそれぞれ接続される外部接続用のＮ本（Ｎは２以上の整数）のリード線を保持して、スロットインシュレータに対して固定されるリード線保持構造部とを具備している。本発明の回転電機用ステータは、リード線保持構造部が、Ｎ本のリード線の芯線の一端を露出させた状態で且つＮ本のリード線の芯線を所定の間隔をあけて並べた状態で保持し表面と裏面とを備えた板状のリード線ホルダと、リード線ホルダが取り付けられてリード線ホルダをスロットインシュレータに対して保持させるホルダ取付部とから構成されている。リード線ホルダには、表面及び裏面の両方に開口し且つＮ本のリード線の芯線が挿入されるＮ個の貫通孔が、Ｎ本のリード線が並ぶ方向に所定の間隔をあけて形成されている。Ｎ本のリード線の芯線がリード線ホルダのＮ個の貫通孔に裏面側から挿入されて表面側に突出するように挿入されており、且つＮ本のリード線が裏面に沿って同じ方向に延びている。ホルダ取付部は、リード線ホルダの裏面を部分的に支持する支持面と、リード線ホルダの表面の周縁部と部分的に対向する対向面と、Ｎ個のリード線収納部と、Ｎ−１個の仕切り壁部とを備えている。Ｎ個のリード線収納部は、対向面の下方向に支持面が位置するように上下方向を定義したときに、支持面が含まれる仮想平面よりも下方向の位置に設けられて、リード線ホルダの裏面に沿って間隔をあけて並ぶＮ本のリード線の一部分をそれぞれ収納している。Ｎ−１個の仕切り壁部は、隣接する２つのリード線収納部の間に位置して２つのリード線収納部を仕切るように上下方向に延びている。Ｎ個のリード線収納部は、Ｎ−１個の仕切り壁部が並ぶ方向及び上下方向とそれぞれ直交する直交方向の一方の方向に開口して、リード線がリード線収納部の外部に延び出ることを許容するリード線出口を備えている。Ｎ−１個の仕切り壁部は、上方向に位置する端面の一部分が支持面の一部を構成する仕切り壁部本体と、仕切り壁部本体における一方の方向の端部から上方向に延びた突出部とをそれぞれ備えている。Ｎ−１個の仕切り壁部の端面の一部分は、突出部と隣接する位置にあり、Ｎ−１個の仕切り壁部の端面には、端面の一部分に連続して下方向に向かって凸となる同じ形状の凹面がそれぞれ形成されている。支持面の残部が、凹面と連続し且つ一方の方向とは反対側の他方の方向に延びている。突出部の近傍には、リード線ホルダのＮ本のリード線が延びる方向とは逆の方向の先端部を、凹面に向かって挿入する挿入口が形成されている。リード線保持構造部は、リード線ホルダの先端部を、挿入口から凹面に向かって挿入し、先端部が凹面に入った後、先端部が凹面から脱出してリード線ホルダが対向面と支持面との間に入り、Ｎ本のリード線の一部分がそれぞれＮ個のリード線収納部に収納されるように構成されている。
【０００６】
本発明の回転電機用ステータでは、リード線ホルダの先端部を、挿入口から凹面に向かって挿入し、先端部が凹面に入った後、先端部を凹面から脱出してリード線ホルダが対向面と支持面との間に入れ、Ｎ本のリード線の一部分をそれぞれＮ個のリード線収納部に収納する。このため、従来のように、リード線ホルダで複数のフックを撓ませてホルダ収納凹部の開口部を押し広げて、リード線ホルダをホルダ取付部に取付ることがない。そのため、リード線ホルダの抜け落ち防止を図る複数のフックがつぶれることがなく、リード線ホルダがホルダ収納凹部から抜け落ちるのを確実に防止できる。
【０００７】
対向面は、一部が支持面の残部と対向し、残部が支持面の残部よりも支持面の一部が位置する側にあって支持面の一部とは対向しないように設けることができる。この場合、凹面の形状と、突出部の形状と、対向面の一部及び残部の位置、及びリード線収納部の形状は、リード線ホルダの先端部を、挿入口から凹面に向かって挿入し、先端部が凹面に入った後、対向面の一部と支持面の残部との間に入り、リード線ホルダの先端部とは反対側に位置する後端部の裏面が支持面の一部と接触し、後端部の端面が突出部と対向し、Ｎ本のリード線の一部分がそれぞれＮ個のリード線収納部に収納されるように定めればよい。このようにすれば、リード線ホルダは、対向面の一部及び残部と支持面の一部及び残部との間に挟持されて配置される。そのため、対向面の面積を小さくして、リード線ホルダをホルダ取付部にしっかりと取付ることができる。
【０００８】
ホルダ取付部は、Ｎ個のリード線収納部とＮ−１個の仕切り壁部とが交互に並ぶ方向の両端に、対向面よりも上方向に延びる一対の対向壁部を有しており、一対に対向壁部には、互いに向かい合う方向に突出する一対のフックがそれぞれ一体に設け、一対のフックは、直交方向に離れて配置されており、一対のフックの下方向に向かう面によって、対向面が構成されており、一対のフックのうち一方の方向に位置するフックの下方向及び一方の方向に位置する角部にはフック部テーパが形成し、Ｎ−１個の仕切り壁部の突出部の上方向及び他方の方向に位置する角部には仕切り壁部テーパを形成することができる。この場合、フック部テーパと仕切り壁部テーパとの間の空隙により、挿入口を形成すればよい。このようにすれば、リード線ホルダの先端部を、挿入口から凹面に向かって挿入する際に、フック部テーパと仕切り壁部テーパとリード線ホルダの先端部を凹面に導くガイドとしての役割を果たす。そのため、リード線ホルダの先端部を、スムーズに凹面に向かって挿入することができる。
【０００９】
リード線保持構造部は、ホルダ取付部に係止されてリード線ホルダのホルダ取付部からの抜け止めを図るカバー部材により覆うのが好ましい。このようにすれば、リード線ホルダに外部から何らかの力が加わっても、カバー部材によりリード線ホルダのホルダ取付部からの抜け止めを図ることができる。カバー部材は、固定子コアの両端部にぞれぞれ取り付けられて回転子の回転軸を回転自在に支持するエンドブラケットと別体に形成してもよいし、エンドブラケットの一部として形成しても構わない。
【００１０】
リード線ホルダは、回路パターンが形成された回路基板から構成することができる。この場合、リード線ホルダの表面の回路パターンの所定位置には、巻線から延びる導線を半田付けすればよい。このようにすれば、巻線から延びる導線とリード線との接続を容易に且つ確実に行うことができる。
【発明の効果】
【００１１】
本発明によれば、従来のように、リード線ホルダで複数のフックを撓ませてホルダ収納凹部の開口部を押し広げて、リード線ホルダをホルダ取付部に取付ることがない。そのため、リード線ホルダの抜け落ち防止を図る複数のフックがつぶれることがなく、リード線ホルダがホルダ収納凹部から抜け落ちるのを確実に防止できる。
【発明を実施するための最良の形態】
【００１２】
以下、図面を参照して本発明の実施の形態を詳細に説明する。図１は本発明の一実施の形態の回転電機用ステータの平面図であり、図２は一部破断正面図である。図２の断面部分は、図１のII-II線で切断されている部分である。また、図１においては、後述するカバー部材４９及びエンドブラケット５５を除いた状態を示している。両図に示すように、本例の回転電機用ステータは、固定子コア１と８個の巻線３とスロットインシュレータ５とリード線保持構造部７とを有している。固定子コア１は、環状のヨーク９の内周部に周方向に間隔をあけて８個の磁極部１１が設けられた構造を有している。この固定子コア１は、図示しない回転子の回転軸の軸線方向（図２における上下方向）に同形状の複数の鋼板が積層されて構成されている。固定子コア１の８個の磁極部１１には、巻線３がそれぞれ巻装されている。そして、絶縁樹脂製のスロットインシュレータ５が、固定子コア１と巻線３との間を電気的に絶縁するために固定子コア１に装着されている。スロットインシュレータ５は、固定子コア１に軸線方向（図２における上下方向）の両側から嵌合される一対のインシュレータ分割体１３，１５によって構成されている。
【００１３】
図３は、一対のインシュレータ分割体１３，１５の内、図２において上方に位置する一方のインシュレータ分割体１３の平面図である。インシュレータ分割体１３は、絶縁樹脂により形成されており、ヨーク９の内周面を覆うベース部１７と、磁極部１１の磁極面を除く部分の表面を覆う８個のボビン部１９とを有している。インシュレータ分割体１３には、該インシュレータ分割体１３と一体成形されたホルダ取付部２３が取付けられている。一対のインシュレータ分割体１３，１５の内、他方のインシュレータ分割体１５は、ホルダ取付部２３が取付けられていない点を除いて基本的には一方のインシュレータ分割体１３と同じ構造を有している。
【００１４】
リード線保持構造部７は、リード線ホルダ２１と、該リード線ホルダ２１が取り付けられるホルダ取付部２３とから構成されている。図４及び図５に示すように、リード線ホルダ２１は、矩形の回路基板２５を有している。回路基板２５には、表面及び裏面の両方に開口し且つＮ本（本例では６本）のリード線２７の芯線２７ａが挿入される８個の貫通孔２５ａが、６本のリード線２７が並ぶ方向に所定の間隔をあけて形成されている。６本のリード線２７は、芯線２７ａがリード線ホルダ２１の８個の貫通孔２５ａに裏面側から挿入されて表面側に突出するように挿入されている。そして、６本のリード線２７は、回路基板２５の裏面に沿って同じ方向に延びている。また、表面側に突出した芯線２７ａは、裏面側の６本のリード線２７が延びる方向に沿って延びるように（６本のリード線２７と平行に延びるように）裏面に並んで配置されている。そして、回路基板２５の表面には、芯線２７ａを回路基板２５の所定の回路上に半田付けするリード線半田付部２５ｂが形成されている。回路基板２５の回路パターンの所定位置には、リード線半田付部２５ｂと並ぶように、巻線３から延びる導線が半田付けされる８個の導線半田付部２５ｃが形成されている。
【００１５】
インシュレータ分割体１３と一体に成形されたホルダ取付部２３は、固定子コア１のヨーク９の一方の端面上に位置するように、ベース部１７の一部から外側に突出して形成されている。図６に示すように、ホルダ取付部２３は、ほぼ直方体の輪郭形状を有しており、内部にリード線ホルダ２１を収納するホルダ収納部２９と、該ホルダ収納部２９と連通して６本のリード線２７の一部分をそれぞれ収納するＮ個（本例では６個）のリード線収納部３１とを有している。ホルダ収納部２９は上方に開口している。６個のリード線収納部３１は、ホルダ収納部２９内に収納されたリード線ホルダ２１を支持する支持面よりも下方の位置に設けられている。
【００１６】
ホルダ取付部２３は、ホルダ収納部２９及びリード線収納部３１を囲むインシュレータ側壁部３３と、一対の対向壁部３５と、底壁部３７とを有している。更に、ホルダ取付部２３は、隣接する２つのリード線収納部３１の間に位置するＮ−１個（本例では５個）の仕切り壁部３９と、６個のリード線収納部３１が並ぶ方向の両端に位置する２つの両側壁部４０とを有している。
【００１７】
インシュレータ側壁部３３は、インシュレータ分割体１３に連結されている。このインシュレータ側壁部３３の上方には、インシュレータ分割体１３とホルダ収納部２９とに亘って延びる８本の溝３３ａが並んで形成されている。これらの８本の溝３３ａには、巻線３から延びる８本の導線がそれぞれ配置されている。
【００１８】
一対の対向壁部３５には、互いに向かい合う方向に突出する一対のフック４１，４３がそれぞれ一体に設けられている。一対のフック４１，４３は、５個の仕切り壁部３９が並ぶ方向と上下方向とにそれぞれ直交する直交方向に離れて配置されている。一対のフック４１，４３の下方向に向かう面４１ａ，４３ａによって、リード線ホルダ２１の表面の周縁部と部分的に対向する対向面が構成されている。このため、リード線ホルダ２１は、一対のフック４１，４３の下方に配置されることになる。一対のフック４１，４３の下方向及び後述するリード線出口３１ａに向かう一方の方向に位置する角部には水平方向に対して傾斜するフック部テーパ４１ｂ，４３ｂが形成されている。
【００１９】
底壁部３７は、６個のリード線収納部３１の底面となるリード線収納部底面３７ａとホルダ収納部２９の支持面の一部を構成するホルダ収納部底面３７ｂとを有している。リード線収納部底面３７ａは、ホルダ収納部底面３７ｂより下方に位置している。
【００２０】
５個の仕切り壁部３９及び２個の両側壁部４０は、いずれも同じ形状を有しており、隣接する２つのリード線収納部３１を仕切るようにそれぞれ上下方向に延びている。図６において一番上方に位置する仕切り壁部３９に符号を付して説明すると、５個の仕切り壁部３９及び２個の両側壁部４０は、仕切り壁部本体４５と突出部４７とをそれぞれ備えている。５個の仕切り壁部３９及び２個の両側壁部４０により、リード線収納部３１は、５個の仕切り壁部３９が並ぶ方向及び上下方向とそれぞれ直交する直交方向の一方の方向に開口して、リード線がリード線収納部３１の外部に延び出ることを許容するリード線出口３１ａをそれぞれ有することになる。仕切り壁部本体４５は、突出部４７と隣接し且つ上方向に位置する端面の一部分４５ｂがリード線ホルダ２１の裏面を部分的に支持する支持面の一部を構成している。仕切り壁部本体４５の端面の他の部分には、端面の一部分４５ｂに連続して下方向に向かって凸となる同じ形状の凹面４５ｃがそれぞれ形成されている。
【００２１】
５個の仕切り壁部３９及び２個の両側壁部４０の突出部４７は、仕切り壁部本体４５におけるリード線出口３１ａに向かう一方の方向の端部から上方向に延びている。突出部４７の上方向及びリード線出口３１ａに向かう一方の方向とは反対側の他方の方向に位置する角部には仕切り壁部テーパ４７ａが形成されている。仕切り壁部テーパ４７ａと、２個のフック４１のフック部テーパ４１ｂとの間の空隙により、リード線ホルダ２１が挿入される挿入口２９ａが形成されている。
【００２２】
また、前述した底壁部３７のホルダ収納部底面３７ｂは、仕切り壁部本体４５の凹面４５ｃと連続して形成されており、リード線出口３１ａに向かう一方の方向とは反対側の他方の方向に延びている。このホルダ収納部底面３７ｂがリード線ホルダ２１の裏面を部分的に支持する支持面の残部を構成している。
【００２３】
また、一対のフック４１，４３の下方向に向かう対向面４１ａ，４３ａの内、対向面４３ａは、支持面の残部（ホルダ収納部底面３７ｂ）と対向し、対向面４１ａは、支持面の残部（ホルダ収納部底面３７ｂ）よりも支持面の一部（端面の一部分４５ｂ）が位置する側にあって支持面の一部（端面の一部分４５ｂ）とは対向しないように設けられている。
【００２４】
図７及び図８は、リード線保持構造部７を覆うカバー部材４９の正面図及び左側面図である。カバー部材４９は、絶縁樹脂からなり、本体部５１と該本体部の両端に位置する一対のフック５３とを有している。本体部５１は、矩形の板形状を有しており、ホルダ取付部２３に取り付けられたリード線ホルダ２１の上方に配置されている。本体部５１は、下方に突出する８個の突部５１ａを有している。８個の突部５１ａの内、両端に位置する２個の突部５１ａは、２個の両側壁部４０の突出部４７と一対の対向壁部３５のそれぞれの間の空隙内に嵌合されている。８個の突部５１ａの内、内側に位置する６個の突部５１ａは、リード線ホルダ２１の５個の仕切り壁部３９及び２個の両側壁部４０のそれぞれの突出部４７の間の近傍に位置している。
【００２５】
一対のフック５３は、本体部５１に対して直交する方向に延びる延伸部５３ａと、延伸部５３ａの先端に位置して相互に向かい合うように突出する係止部５３ｂとをそれぞれ有している。延伸部５３ａは、ホルダ取付部２３の一対の対向壁部３５と底壁部３７とに亘って延びる溝部２３ａ（図６）内に配置される。そして、係止部５３ｂは、底壁部３７の下方の角部２３ｂに係止されている。カバー部材４９により、リード線ホルダ２１のホルダ取付部２３からの抜け止めが図られている。
【００２６】
図２に示すように、カバー部材４９の一部は、エンドブラケット５５に覆われている。エンドブラケット５５は、固定子コア１の両端部にぞれぞれ取り付けられて、図示しない回転子の回転軸を回転自在に支持している。
【００２７】
次に、リード線ホルダ２１をホルダ取付部２３に取り付ける態様について説明する。まず、図９（Ａ）及び（Ｂ）に示すように、リード線ホルダ２１の６本のリード線２７が延びる方向とは逆の方向の先端部２１ａを、挿入口２９ａから凹面４５ｃに向かって挿入する。この時、リード線ホルダ２１の先端部２１ａは、フック部テーパ４１ｂと仕切り壁部テーパ４７ａとによりガイドされて凹面４５ｃに挿入される。そして、図１０（Ａ）及び（Ｂ）に示すように、先端部が凹面４５ｃに入った後に、先端部を凹面４５ｃから脱出してフック４３の対向面４３ａと支持面の残部（ホルダ収納部底面３７ｂ）との間に入れる。これにより、リード線ホルダ２１の先端部２１ａとは反対側に位置する後端部２１ｂの裏面が支持面の一部（５個の仕切り壁部３９及び２個の両側壁部４０の端面の一部分４５ｂ）と接触し、後端部２１ｂの端面が突出部４７と対向し、６本のリード線２７の一部分がそれぞれ６個のリード線収納部３１に収納される。そして、前述したようにリード線保持構造部７を覆うようにカバー部材４９をホルダ取付部２３に取付ける。
【００２８】
本例の回転電機用ステータでは、従来のように、リード線ホルダ２１でフック４１，４３を撓ませてホルダ収納部２９の開口部を押し広げて、リード線ホルダ２１をホルダ取付部２３に取付ることがない。そのため、リード線ホルダ２１の抜け落ち防止を図るフック４１，４３がつぶれることがなく、リード線ホルダ２１がホルダ収納部２３から抜け落ちるのを確実に防止できる。
【００２９】
なお、本例では、カバー部材は、エンドブラケットと別体に形成されているが、カバー部材は、エンドブラケットの一部から構成しても構わない。
【００３０】
また、本例の回転電機用ステータでは、６個のリード線収納部３１が並ぶ方向の両端に２つの両側壁部４０を形成したが、このような両側壁部４０は、形成してもしなくてもよい。また、両側壁部４０の両側にさらに両側壁部４０と同形状の壁部を形成しても構わない。
【図面の簡単な説明】
【００３１】
【図１】本発明の一実施の形態の回転電機用ステータの平面図である。
【図２】図１に示す回転電機用ステータの一部破断正面図である。
【図３】図２において上方に位置する一方のインシュレータ分割体１３の平面図である。
【図４】図１に示す回転電機用ステータに用いるリード線ホルダの平面図である。
【図５】図１に示す回転電機用ステータに用いるリード線ホルダの正面図である。
【図６】図１に示す回転電機用ステータに用いるホルダ取付部２３の斜視図である。
【図７】図１に示す回転電機用ステータに用いるカバー部材４９の正面図である。
【図８】図１に示す回転電機用ステータに用いるカバー部材４９の左側面図である。
【図９】（Ａ）及び（Ｂ）は、図１に示す回転電機用ステータにおいて、リード線ホルダをホルダ取付部に取り付ける態様について説明するための図である。
【図１０】（Ａ）及び（Ｂ）は、図１に示す回転電機用ステータにおいて、リード線ホルダをホルダ取付部に取り付ける態様について説明するための図である。
【符号の説明】
【００３２】
１  固定子コア
３  巻線
５  スロットインシュレータ
７  リード線保持構造部
２１  リード線ホルダ
２３  ホルダ取付部
２７  リード線
２７ａ  芯線
２９ａ  挿入口
３１  リード線収納部
３１ａ  リード線出口
３５  対向壁部
３７ｂ  支持面の残部
３９  仕切り壁部
４１，４３  一対のフック
４１ａ，４３ａ  対向面
４１ｂ，４３ｂ  フック部テーパ
４５  仕切り壁部本体
４７  突出部
４５ｃ  凹面
４５ｂ  支持面の一部（端面の一部分）
【図１】
2008067445.tif 000003
【図２】
2008067445.tif 000004
【図３】
2008067445.tif 000005
【図４】
2008067445.tif 000006
【図５】
2008067445.tif 000007
【図６】
2008067445.tif 000008
【図７】
2008067445.tif 000009
【図８】
2008067445.tif 000010
【図９】
2008067445.tif 000011
【図１０】
2008067445.tif 000012
【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
複数の磁極部を有する固定子コアと、
前記固定子コアの複数の磁極部に巻装される１相以上の巻線と、
前記固定子コアと前記1以上の巻線との間を電気的に絶縁するために前記固定子コアに装着される絶縁樹脂製のスロットインシュレータと、
前記１相以上の巻線の複数の引き出し線がそれぞれ接続される外部接続用のＮ本（Ｎは２以上の整数）のリード線を保持して前記スロットインシュレータに対して固定されるリード線保持構造部とを具備する回転電機用ステータであって、
前記リード線保持構造部が、前記Ｎ本のリード線の芯線の一端を露出させた状態で且つ前記Ｎ本のリード線の前記芯線を所定の間隔をあけて並べた状態で保持し表面と裏面とを備えた板状のリード線ホルダと、前記リード線ホルダが取り付けられて前記リード線ホルダを前記スロットインシュレータに対して保持させるホルダ取付部とからなり、
前記リード線ホルダには、前記表面及び裏面の両方に開口し且つ前記Ｎ本のリード線の前記芯線が挿入されるＮ個の貫通孔が、前記Ｎ本のリード線が並ぶ方向に前記所定の間隔をあけて形成されており、
前記Ｎ本のリード線の前記芯線が前記リード線ホルダの前記Ｎ個の貫通孔に前記裏面側から挿入されて前記表面側に突出するように挿入されており、且つ前記Ｎ本のリード線が前記裏面に沿って同じ方向に延びており、
前記ホルダ取付部は、
前記リード線ホルダの前記裏面を部分的に支持する支持面と、
前記リード線ホルダの前記表面の周縁部と部分的に対向する対向面と、
前記対向面の下方向に前記支持面が位置するように上下方向を定義したときに、前記支持面が含まれる仮想平面よりも下方向の位置に設けられて、前記リード線ホルダの前記裏面に沿って間隔をあけて並ぶ前記Ｎ本のリード線の一部分をそれぞれ収納するＮ個のリード線収納部と、
隣接する２つの前記リード線収納部の間に位置して前記２つのリード線収納部を仕切るように前記上下方向に延びるＮ−１個の仕切り壁部とを備え、
前記Ｎ個のリード線収納部は、前記Ｎ−１個の仕切り壁部が並ぶ方向及び前記上下方向とそれぞれ直交する直交方向の一方の方向に開口して、前記リード線が前記リード線収納部の外部に延び出ることを許容するリード線出口を備え、
前記Ｎ−１個の仕切り壁部は、上方向に位置する端面の一部分が前記支持面の一部を構成する仕切り壁部本体と、前記仕切り壁部本体における前記一方の方向の端部から前記上方向に延びた突出部とをそれぞれ備えており、
前記Ｎ−１個の仕切り壁部の前記端面の一部分は、前記突出部と隣接する位置にあり、
前記Ｎ−１個の仕切り壁部の前記端面には、前記端面の一部分に連続して下方向に向かって凸となる同じ形状の凹面がそれぞれ形成されており、
前記支持面の残部が、前記凹面と連続し且つ前記一方の方向とは反対側の他方の方向に延びており、
前記突出部の近傍には、前記リード線ホルダの前記Ｎ本のリード線が延びる方向とは逆の方向の先端部を、前記凹面に向かって挿入する挿入口が形成されており、
前記リード線保持構造部は、前記先端部を、前記挿入口から前記凹面に向かって挿入し、前記先端部が前記凹面に入った後、前記先端部が前記凹面から脱出して前記リード線ホルダが前記対向面と前記支持面との間に入り、前記Ｎ本のリード線の一部分がそれぞれ前記Ｎ個のリード線収納部に収納されるように構成されており、
前記対向面は、一部が前記支持面の残部と対向し、残部が前記支持面の残部よりも前記支持面の一部が位置する側にあって前記支持面の一部とは対向しないように設けられており、
前記凹面の形状と、前記突出部の形状と、前記対向面の前記一部及び残部の位置、及び前記リード線収納部の形状は、前記リード線ホルダの前記先端部を、前記挿入口から前記凹面に向かって挿入し、前記先端部が前記凹面に入った後、前記対向面の一部と前記支持面の残部との間に入り、前記リード線ホルダの前記先端部とは反対側に位置する後端部の裏面が前記支持面の一部と接触し、前記後端部の端面が前記突出部と対向し、前記Ｎ本のリード線の一部分がそれぞれ前記Ｎ個のリード線収納部に収納されるように定められており、
前記ホルダ取付部は、前記Ｎ個のリード線収納部と前記Ｎ−１個の仕切り壁部とが交互に並ぶ方向の両端に、前記対向面よりも前記上方向に延びる一対の対向壁部を有しており、
前記一対の対向壁部には、互いに向かい合う方向に突出する一対のフックがそれぞれ一体に設けられており、
前記一対のフックは、前記直交方向に離れて配置されており、前記一対のフックの前記下方向に向かう面によって、前記対向面が構成されていることを特徴とする回転電機用ステータ。
【請求項２】
前記一対のフックのうち前記一方の方向に位置する前記フックの下方向及び前記一方の方向に位置する角部にはフック部テーパが形成されており、
前記Ｎ−１個の仕切り壁部の前記突出部の上方向及び前記他方の方向に位置する角部には仕切り壁部テーパが形成されており、
前記フック部テーパと前記仕切り壁部テーパとの間の空隙により、前記挿入口が形成されている請求項１に記載の回転電機用ステータ。
【請求項３】
前記リード線保持構造部は、前記ホルダ取付部に係止されて前記リード線ホルダの前記ホルダ取付部からの抜け止めを図るカバー部材によって覆われている請求項１に記載の回転電機。
【請求項４】
前記リード線ホルダは、回路パターンが形成された回路基板からなり、
前記リード線ホルダの表面の前記回路パターンの所定位置には、前記巻線から延びる導線が半田付けされている請求項１に記載の回転電機。
【手続補正２】
【補正対象書類名】図面
【補正対象項目名】図５
【補正方法】変更
【補正の内容】
【図５】
2008067445.tif 000013
【手続補正３】
【補正対象書類名】図面
【補正対象項目名】図６
【補正方法】変更
【補正の内容】
【図６】
2008067445.tif 000014
【手続補正４】
【補正対象書類名】図面
【補正対象項目名】図９
【補正方法】変更
【補正の内容】
【図９】
2008067445.tif 000015
【手続補正５】
【補正対象書類名】図面
【補正対象項目名】図１０
【補正方法】変更
【補正の内容】
【図１０】
2008067445.tif 000016